(57)【要約】【課題】医用画像を表示する医用画像表示装置の表示階調特性を効率良く補正する。【解決手段】まず、画像サーバ等の外部機器に保存されている医用画像を通信部を介して取得する（ステップＳ１）。次に、医用画像から、医用画像に付帯されている撮影部位情報及び撮影方向情報を取得する（ステップＳ２）。そして、取得された撮影部位情報及び撮影方向情報に基づいて、医用画像をプロファイル解析し、医用画像において診断の対象となるＲＯＩ位置を決定する（ステップＳ３）。次に、表示対象となる医用画像のＲＯＩ位置に各テストパターンを表示し、医用画像表示装置の表示階調特性調整処理を行う（ステップＳ４）。【選択図】図６
2006043265.tif 000002
【特許請求の範囲】
【請求項１】
医用画像表示装置の表示手段にキャリブレーション用画像を表示させ、前記表示されたキャリブレーション用画像の輝度レベルを目視により観察して調整し、当該調整結果に基づいて前記医用画像表示装置の表示階調特性を補正するキャリブレーション方法であって、
前記キャリブレーション用画像を前記表示手段の表示対象となる医用画像の関心領域位置に表示させることを特徴とするキャリブレーション方法。
【請求項２】
請求項１に記載のキャリブレーション方法において、
過去に前記表示手段に表示された医用画像の関心領域位置を撮影部位及び／又は撮影方向毎に保存しておき、
前記キャリブレーション用画像を前記表示手段に表示させる際に、前記保存されている医用画像の関心領域位置のうち、表示対象となる医用画像と撮影部位及び／又は撮影方向が同一の医用画像の関心領域位置を取得し、前記取得された関心領域位置に基づいて前記表示対象となる医用画像の関心領域位置を決定し、前記決定された関心領域位置に前記キャリブレーション用画像を表示させることを特徴とするキャリブレーション方法。
【請求項３】
請求項１に記載のキャリブレーション方法において、
前記表示手段に表示対象となる医用画像を表示させた画面上で、当該表示されている医用画像の関心領域位置を指定し、前記指定された関心領域位置に前記キャリブレーション用画像を表示させることを特徴とするキャリブレーション方法。
【請求項４】
医用画像表示装置の表示手段の表示画面上の複数の位置で、それぞれ、キャリブレーション用画像を表示させ、前記表示されたキャリブレーション用画像の輝度レベルを目視により観察して調整し、当該調整結果に基づいて前記医用画像表示装置の表示階調特性を補正する補正データを取得しておき、
表示対象となる医用画像を表示手段に表示させる際に、当該表示対象となる医用画像の関心領域位置近傍において取得された補正データに基づいて、前記医用画像表示装置の表示階調特性を補正することを特徴とするキャリブレーション方法。
【発明の詳細な説明】
【技術分野】
【０００１】
本発明は、オペレータの目視により医用画像表示装置の表示階調特性を補正するキャリブレーション方法に関する。
【背景技術】
【０００２】
医療の分野では、Ｘ線撮影、ＭＲＩ（Magnetic Resonance Imaging）撮影、超音波撮影等、様々な検査撮影により得られた患者の医用画像をモニタに表示させて読影を行うモニタ診断が普及しつつある。また、病院内外におけるネットワークの発展に伴い、同一画像を異なる場所のモニタで読影することも可能である。しかし、読影に使用するモニタがＬＣＤ（Liquid Crystal Display）、ＣＲＴ（Cathode Ray Tube）等、異なる種類である場合、表示特性が異なるため同一画像でも画像の見え方が異なり、また同一種類のモニタでもその使用による劣化の程度や設置環境等により、やはり画像の見え方が異なる場合がある。
【０００３】
このように、個々のモニタで画像の見え方にばらつきがあると、診断精度に影響を及ぼすため、表示階調特性の補正（以下、キャリブレーションという。）を行って各モニタにおける画像の見え方を統一することが必要である。従来から、輝度計を用いてキャリブレーションが行われているが、輝度計は一般に高価なものであるため輝度計を用いてのキャリブレーションはコスト高となる。また、読影用のモニタが何台もある場合、各モニタについて逐一輝度計によりキャリブレーションを行う作業は非常に手間がかかり、煩雑である。
【０００４】
一方、輝度計を使用してキャリブレーションを実施した後、オペレータが目視でキャリブレーション結果を確認する方法も提案されている（例えば、特許文献１参照。）。この特許文献１に記載の方法は、それぞれ異なる輝度レベルで表示された複数のテストパターンをモニタ上に表示して、オペレータ（観察者）に各テストパターンの輝度レベルを目視により確認させるものである。
【特許文献１】特開平１１−３２７５０１号公報
【発明の開示】
【発明が解決しようとする課題】
【０００５】
しかしながら、特許文献１に記載の方法ように、一画面上に複数のテストパターンを表示してキャリブレーションを行う場合、判定対象のテストパターンとともにその隣接するテストパターンがオペレータの視野に入るため、オペレータの視認精度が低下し、正確なキャリブレーションを行うことが困難であった。
【０００６】
また、最近では、大画面の表示装置も開発されており、画像の表示位置によって、室内照明や太陽光等の周囲光の影響を受ける程度が異なるという問題があった。
【０００７】
本発明は、医用画像を表示する医用画像表示装置の表示階調特性を効率良く補正することを課題とする。
【課題を解決するための手段】
【０００８】
請求項１に記載の発明は、医用画像表示装置の表示手段にキャリブレーション用画像を表示させ、前記表示されたキャリブレーション用画像の輝度レベルを目視により観察して調整し、当該調整結果に基づいて前記医用画像表示装置の表示階調特性を補正するキャリブレーション方法であって、前記キャリブレーション用画像を前記表示手段の表示対象となる医用画像の関心領域位置に表示させることを特徴としている。
【０００９】
請求項２に記載の発明は、請求項１に記載のキャリブレーション方法において、過去に前記表示手段に表示された医用画像の関心領域位置を撮影部位及び／又は撮影方向毎に保存しておき、前記キャリブレーション用画像を前記表示手段に表示させる際に、前記保存されている医用画像の関心領域位置のうち、表示対象となる医用画像と撮影部位及び／又は撮影方向が同一の医用画像の関心領域位置を取得し、前記取得された関心領域位置に基づいて前記表示対象となる医用画像の関心領域位置を決定し、前記決定された関心領域位置に前記キャリブレーション用画像を表示させることを特徴としている。
【００１０】
請求項３に記載の発明は、請求項１に記載のキャリブレーション方法において、前記表示手段に表示対象となる医用画像を表示させた画面上で、当該表示されている医用画像の関心領域位置を指定し、前記指定された関心領域位置に前記キャリブレーション用画像を表示させることを特徴としている。
【００１１】
請求項４に記載の発明は、キャリブレーション方法において、医用画像表示装置の表示手段の表示画面上の複数の位置で、それぞれ、キャリブレーション用画像を表示させ、前記表示されたキャリブレーション用画像の輝度レベルを目視により観察して調整し、当該調整結果に基づいて前記医用画像表示装置の表示階調特性を補正する補正データを取得しておき、表示対象となる医用画像を表示手段に表示させる際に、当該表示対象となる医用画像の関心領域位置近傍において取得された補正データに基づいて、前記医用画像表示装置の表示階調特性を補正することを特徴としている。
【発明の効果】
【００１２】
請求項１に記載の発明によれば、キャリブレーション用画像を表示手段の表示対象となる医用画像の関心領域位置に表示させるので、医用画像を観察する際に最も重要な関心領域位置に合わせて表示階調特性を補正することができる。したがって、医用画像表示装置の表示階調特性の補正を効率良く行うことができる。
【００１３】
請求項２に記載の発明によれば、過去に表示手段に表示された医用画像の関心領域位置を撮影部位及び／又は撮影方向毎に保存しておき、キャリブレーション用画像を表示手段に表示させる際に、保存されている医用画像の関心領域位置のうち、表示対象となる医用画像と撮影部位及び／又は撮影方向が同一の医用画像の関心領域位置を取得し、取得された関心領域位置に基づいて表示対象となる医用画像の関心領域位置を決定し、決定された関心領域位置にキャリブレーション用画像を表示させるので、表示対象となる医用画像と撮影部位及び／又は撮影方向が同一の医用画像の関心領域位置の平均的な位置に合わせて表示階調特性を補正することができる。
【００１４】
請求項３に記載の発明によれば、表示手段に表示対象となる医用画像を表示させた画面上で、表示されている医用画像の関心領域位置を指定し、指定された関心領域位置にキャリブレーション用画像を表示させるので、オペレータが指定する位置に合わせて表示階調特性を補正することができる。
【００１５】
請求項４に記載の発明によれば、医用画像表示装置の表示手段の表示画面上の複数の位置で、それぞれ、キャリブレーション用画像を表示させ、表示されたキャリブレーション用画像の輝度レベルを目視により観察して調整し、調整結果に基づいて医用画像表示装置の表示階調特性を補正する補正データを取得しておき、表示対象となる医用画像を表示手段に表示させる際に、表示対象となる医用画像の関心領域位置近傍において取得された補正データに基づいて、医用画像表示装置の表示階調特性を補正するので、医用画像を観察する際に最も重要な関心領域位置に合わせて表示階調特性を補正することができる。したがって、医用画像表示装置の表示階調特性を効率良く補正することができる。
【発明を実施するための最良の形態】
【００１６】
［第１の実施の形態］
第１の実施の形態では、キャリブレーション時に、医用画像の関心領域（Region Of Interest；以下、ＲＯＩという。）位置にキャリブレーション用画像（以下、テストパターンという。）を表示する例を説明する。
【００１７】
まず、構成を説明する。
図１に、第１の実施の形態における医用画像表示装置１０の内部構成を示す。
図１に示すように、医用画像表示装置１０は、制御部１１、操作部１２、表示部１３、通信部１４、ＲＡＭ（Random Access Memory）１５、記憶部１６から構成されている。
【００１８】
制御部１１は、記憶部１６に記憶されているシステムプログラム、本発明に係るキャリブレーション処理プログラム等の各種制御プログラムをＲＡＭ１５に展開し、当該制御プログラムに従って各部の動作を集中制御する。
【００１９】
具体的に、制御部１１は、医用画像表示装置１０で表示駆動可能な各駆動レベルに設定されたＮ個の各テストパターンのデータを表示部１３に出力して表示させる。このＮ個のテストパターンを表示部１３に表示させる際、制御部１１は一画面に一のテストパターンを配置した画面データを生成し、表示部１３に出力することにより、一画面に一パターンずつ切り替えて表示させる。
【００２０】
そして、表示されたテストパターンについて、操作部１２を介して輝度レベルの調整操作が行われると、制御部１１は、その操作指示に応じてテストパターンにおける駆動レベルを変更して表示部１３により表示駆動させる。調整操作が終了すると、調整後の各テストパターンにおける駆動レベルの値に基づいて医用画像表示装置１０の表示階調特性を補正する補正曲線を求める。そして、当該補正曲線の入力値に対する出力値（駆動レベル）を規定したＬＵＴ（Look Up Table）を作成し、記憶部１６に記憶させる。
【００２１】
なお、表示特性とは駆動レベルと輝度レベルとの相関をいい、表示階調特性とは表示対象の画像データにおける画素値の入力レベルとその画像データを表示した際における輝度レベルとの相関をいう。
【００２２】
操作部１２は、キーボードやマウスを有し、これらキーボードやマウスが操作されると、その操作に応じた操作信号を生成して制御部１１に出力する。なお、操作部１２は、表示部１３と一体に形成されたタッチパネル等を有することとしてもよい。
【００２３】
表示部１３は、ＬＣＤ、ＣＲＴ等のモニタを有し、制御部１１から入力される表示制御信号に従って当該モニタを駆動する。後述する表示階調特性調整処理時には（図７参照）、制御部１１から入力される各テストパターンを一画面に一パターンずつ切り替えて表示させる。
【００２４】
通信部１４は、ＮＩＣ（Network Interface Card）やモデム、ルータ等の通信用インターフェイスを有し、これら通信用インターフェイスを介して病院内に設けられたＬＡＮ（Local Area Network）上の外部機器とデータ通信を行う。例えば、患者の医用画像がデータベース化されて管理されている画像サーバにアクセスして医用画像のデータを取得する。
【００２５】
ＲＡＭ１５は、制御部１１において実行される各種プログラムや、これらプログラムによって処理されたデータ等を一時的に記憶するワークエリアを形成する。
【００２６】
記憶部１６は、磁気的又は光学的記録媒体、若しくは半導体メモリ等により構成され、システムプログラム、キャリブレーション処理プログラム等の各種制御プロラグムを記憶している。また、記憶部１６は、プログラムの処理結果として、例えば表示階調特性調整処理により作成された、医用画像表示装置１０の表示階調特性を補正するためのＬＵＴを記憶している。また、記憶部１６は、外部機器から通信部１４を介して取得された医用画像を記憶する。医用画像には、付帯情報として、撮影部位情報や撮影方向情報が付帯されている。なお、これらの付帯情報は、操作部１２から入力されることとしてもよい。
【００２７】
また、記憶部１６は、表示階調特性調整処理において使用される複数のテストパターンのデータを記憶している。
図２に、テストパターンの例を示す。
図２に示すように、テストパターン［ｎ］（括弧内のｎは各テストパターンを識別するために付されたパターン番号を示す。ｎ＝１，２，・・・，Ｎ）は表示部１３において駆動可能な駆動レベルのレベル範囲、つまり０〜最大駆動レベルＤＤＬmaxを（Ｎ−１）等分し、（Ｎ−１）等分されたそれぞれの駆動レベルに対応して作成されたものである。なお、ここでは７等分した例を示したが、等分する数はキャリブレーションの精度により適宜設定可能であるとする。高精度にキャリブレーションを行いたい場合はＮ数を増加させることが好ましい。
【００２８】
各テストパターン［ｎ］には、図３に示すように異なる駆動レベルが設定された２つの表示領域が形成されている。一方の表示領域（以下、基準領域という。）には最大駆動レベルＤＤＬmaxが（Ｎ−１）等分された駆動レベルが設定され、他方の表示領域（以下、調整領域という。）にはその一方の表示領域に設定された駆動レベルより所定レベル高い駆動レベルが設定されている。すなわち、調整領域は、基準領域より高輝度レベルとなるように駆動レベルが設定されている。
【００２９】
テストパターン［ｎ］の基準領域の駆動レベルをＤＤＬＫ［ｎ］、調整領域の駆動レベルをＤＤＬＴ［ｎ］とすると、ＤＤＬＫ［ｎ］は下記式１により示され、ＤＤＬＴ［ｎ］は下記式２により示される。
【数１】
2006043265.tif 000003
【００３０】
ただし、テストパターン［Ｎ］に関してのみ、
【数２】
2006043265.tif 000004
とする。
【００３１】
なお、図２及び図３に示したような方形状の表示領域から形成されるテストパターン［ｎ］に限らず、図４及び図５に示すようなライン状の表示領域から形成されるテストパターン［ｎ］であってもよい。
【００３２】
図４に示す各テストパターン［ｎ］は、図５に示すように異なる駆動レベルが設定された２つのライン状の表示領域を１対のラインペアとして、複数対のラインペアが形成されている。ラインペアの一方のラインを基準領域とし、他方のラインを調整領域とする。この場合にも、図２及び図３に示した例と同様に、各テストパターン［ｎ］の調整領域及び基準領域の駆動レベルを設定すればよい。すなわち、調整領域は、基準領域より高輝度レベルとなるように設定される。
【００３３】
次に、上記テストパターン［ｎ］を用いて医用画像表示装置１０により実行されるキャリブレーション処理について説明する。
図６は、キャリブレーション処理１を説明するフローチャートである。
【００３４】
まず、画像サーバ等の外部機器に保存されている医用画像が通信部１４を介して取得される（ステップＳ１）。取得された医用画像は、記憶部１６に記憶される。
【００３５】
次に、医用画像から、医用画像に付帯されている撮影部位情報及び撮影方向情報が取得される（ステップＳ２）。
【００３６】
そして、取得された撮影部位情報及び撮影方向情報に基づいて、医用画像がプロファイル解析され、医用画像において診断の対象となるＲＯＩ位置が決定される（ステップＳ３）。
【００３７】
次に、表示部１３において、表示対象となる医用画像のＲＯＩ位置に各テストパターン［ｎ］が表示され、医用画像表示装置１０の表示階調特性調整処理が行われる（ステップＳ４）。
【００３８】
図７を参照して、医用画像表示装置１０の表示階調特性調整処理について詳しく説明する。図７に示すように、まず表示するテストパターン［ｎ］のパターン番号ｎが初期値であるｎ＝１に設定される（ステップＳ１１）。パターン番号ｎが設定されると、制御部１１においてそのパターン番号ｎのテストパターン［ｎ］のデータが記憶部１６から読み出される。そして、テストパターン［ｎ］が表示画面上のＲＯＩ位置に配置された表示画面データが生成される。生成された表示画面データは表示部１３に出力され、表示部１３ではテストパターン毎に設定されている駆動レベルに基づいてモニタの表示駆動が行われ、テストパターン［ｎ］を含む表示画面が表示される（ステップＳ１２）。
【００３９】
医用画像を観察する場合、その表示位置によって室内照明や太陽光等の周囲光の影響を受ける程度が異なるため、同じ輝度レベルで表示されたにも拘わらずその位置によってはオペレータが視認する輝度レベルが異なる場合がある。よって、医用画像を観察する際に最も重要なＲＯＩ位置と対応する位置にテストパターン［ｎ］を配置してオペレータに調整を行わせることにより、医用画像を観察する際の環境条件を考慮したキャリブレーションを行うことができる。例えば、乳房が撮影された医用画像を読影する場合、特に関心が集中するのは乳腺部分の領域である。このようなＲＯＩ位置に合わせて表示階調特性を調整することにより、効果的なキャリブレーションを行うことができる。
【００４０】
このようにしてテストパターン［ｎ］が表示されると、オペレータは操作部１２を介して、テストパターン［ｎ］中の調整領域と基準領域の輝度レベル差が目視により視認できる最小の輝度レベル差となるまで、調整領域の輝度レベルを上げる又は下げる調整操作を行う。視認できる最小の輝度レベル差とは、オペレータが調整領域の輝度レベルを基準領域の輝度レベルに合わせて調整した結果、その輝度レベル差が視認できる限界における輝度レベル差をいう。具体的には調整領域の輝度レベルをあと１レベル下げると、オペレータが調整領域と基準領域の輝度レベル差を識別できなくなる段階まで輝度レベルを調整する。
【００４１】
医用画像表示装置１０では、操作部１２を介して調整領域の輝度調整の操作が行われると、その操作信号が信号解析され、輝度レベルを上げる又は下げるの何れが操作指示されたのかが判別される（ステップＳ１３）。輝度レベルを上げるように操作指示された場合（ステップＳ１３；ｕｐ）、調整領域の駆動レベルＤＤＬＴ［ｎ］が１レベル分増加され、表示中の調整領域が増加された駆動レベルＤＤＬＴ［ｎ］で表示駆動される（ステップＳ１４）。一方、輝度を下げるように操作指示された場合（ステップＳ１３；ｄｏｗｎ）、調整領域の駆動レベルＤＤＬＴ［ｎ］が１レベル分下げられ、表示中の調整領域が下げられた駆動レベルＤＤＬＴ［ｎ］で表示駆動される（ステップＳ１５）。すなわち、一操作に応じて１駆動レベル分だけ輝度レベルが上下されて表示される。なお、調整領域の輝度レベルを下げる操作が繰り返された場合でも、調整領域の輝度レベルが基準領域の輝度レベル以下とならないように、基準領域の駆動レベル以下となる調整操作を無効とする等してその調整操作を制限することとする。
【００４２】
駆動レベルの調整操作が行われると、調整操作が終了したか否かが判別され（ステップＳ１６）、まだ操作部１２を介して調整操作が行われている場合は（ステップＳ１６；Ｎ）、ステップＳ１３の処理に戻り、入力される操作指示に従って輝度レベルが調整される。一方、調整操作が終了した場合（ステップＳ１６；Ｙ）、調整終了時におけるテストパターン［ｎ］の調整領域の駆動レベルＤＤＬＴ’［ｎ］が判別され、当該駆動レベルＤＤＬＴ’［ｎ］と基準領域の駆動レベルＤＤＬＫ［ｎ］との差ΔＤＤＬjnd［ｎ］が算出される（ステップＳ１７）。このΔＤＤＬjnd［ｎ］は、そのテストパターン［ｎ］においてオペレータが視認可能な最小の輝度レベル差に対応する。
【００４３】
次いで、全てのテストパターン［ｎ］について上述した調整操作が終了したか否かが判別される（ステップＳ１８）。全てのテストパターン［ｎ］について調整操作が終了していない場合（ステップＳ１８；Ｎ）、パターン番号ｎが１だけインクリメントされ（ステップＳ１９）、ステップＳ１２の処理に戻る。すなわち、次のテストパターン［ｎ］の表示画面が表示され、調整操作が繰り返される。
【００４４】
このようにパターン番号ｎを順次インクリメントしてステップＳ１２〜Ｓ１７の処理を繰り返すことにより、表示部１３では、パターン番号順に各テストパターン［ｎ］が順次表示されていく。
【００４５】
そして、全てのテストパターン［ｎ］が表示され、調整操作が終了した場合（ステップＳ１８；Ｙ）、図８に示すように各テストパターン［ｎ］の基準領域の駆動レベルＤＤＬＫ［ｎ］に対して算出されたΔＤＤＬjnd［ｎ］がプロットされ、各プロット点の近似関数ｇ（ＤＤＬ）が算出される（ステップＳ２０）。つまり、離散値である各ΔＤＤＬjnd［ｎ］が補間されて全レベル範囲の駆動レベルＤＤＬに対応する連続値が得られる。近似関数ｇ（ＤＤＬ）は、駆動レベルＤＤＬと最小駆動レベル差ΔＤＤＬjnd［ｎ］との対応関係を示す関数である。
【００４６】
次いで、算出された関数ｇ（ＤＤＬ）を駆動レベルＤＤＬで積分した関数ｈ（ＤＤＬ）が下記式５により算出される（ステップＳ２１）。上記ｇ（ＤＤＬ）はｈ（ＤＤＬ）の傾きを示す。
【数３】
2006043265.tif 000005
【００４７】
図９は、ｈ（ＤＤＬ）を示す図である。横軸は駆動レベルＤＤＬ、縦軸は駆動レベルＤＤＬに対するｈ（ＤＤＬ）を示す。このとき、医用画像表示装置１０で駆動可能な最大駆動レベルＤＤＬmaxに対応するｈ（ＤＤＬ）の値をＩmaxとすると、このＩmaxが最大駆動レベルＤＤＬmaxに対応するようにｈ（ＤＤＬ）（つまり、縦軸の値）が正規化され、正規化されたｈ（ＤＤＬ）を示すｆ（ＤＤＬ）が下記式６により算出される（ステップＳ２２）。
【数４】
2006043265.tif 000006
【００４８】
そして、図９の横軸の駆動レベルＤＤＬを画素値の入力レベルに置き換え、縦軸のｈ（ＤＤＬ）を算出されたｆ（ＤＤＬ）に置き換えた、図１０に示すような曲線が作成される。ここで、図１０中のＰmaxは医用画像表示装置１０で表現可能な最大階調を示す。この曲線により、画素値の入力レベルが最終的にその入力レベルに視覚的にリニアな輝度レベルで表示されるように、画素値の入力レベルから対応する輝度レベルを実現する駆動レベルを得ることができる。すなわち、ｆ（ＤＤＬ）は、医用画像表示装置１０の表示特性に応じて表示階調特性（画素値の入力レベルとその入力レベルに応じて実際に表示された際の輝度レベルとの関係）を補正する補正曲線である。制御部１１では、この補正曲線の入力値に対する出力値が算出されてテーブル化され、ＬＵＴが作成される（ステップＳ２３）。そして、この作成されたＬＵＴは、医用画像表示装置１０の表示階調特性を補正するためのＬＵＴとして記憶部１６に記憶される。
【００４９】
医用画像を表示する際には、作成されたＬＵＴが参照され、医用画像の画素値の入力レベル（入力値）に対応する駆動レベル（出力値）を得て当該駆動レベルで表示駆動が行われる。ＬＵＴにより得られた駆動レベルは、その駆動レベルで駆動表示された際の輝度レベルが画素値の入力レベルと視覚的にリニアな関係となるように補正された駆動レベルであるので、医用画像表示装置１０の表示特性及びオペレータの視覚特性に応じて、医用画像表示装置１０の表示階調特性が補正されたこととなる。
以上で、キャリブレーション処理１が終了する。
【００５０】
以上のように、第１の実施の形態によれば、テストパターン［ｎ］を表示部１３の表示対象となる医用画像のＲＯＩ位置に表示させるので、医用画像を観察する際に最も重要なＲＯＩ位置に合わせて表示階調特性を補正することができる。したがって、医用画像表示装置１０の表示階調特性の補正を効率良く行うことができる。
【００５１】
また、２回目以降の表示階調特性調整処理を行う際には、前回の表示階調特性調整処理によって得られた調整終了時の調整領域の駆動レベルＤＤＬＴ’［ｎ］を、調整領域の駆動レベルの初期値として用いることとしてもよい。これにより、調整領域の駆動レベルの初期値として、基準領域の駆動レベルＤＤＬＫ［ｎ］より定数ΔＤＤＬinitだけ高い駆動レベルを用いた場合と比較して、調整工程における工数を低減させることができる。
【００５２】
［第２の実施の形態］
次に、本発明を適用した第２の実施の形態について説明する。
第２の実施の形態における医用画像表示装置は、第１の実施の形態に示した医用画像表示装置１０と同様の構成であるため、同一の構成部分については同一の符号を付し、その構成については説明を省略する。また、キャリブレーションに用いるテストパターンについても、第１の実施の形態と同様、図２に示したテストパターンを用いる。以下、第２の実施の形態に特徴的な処理について説明する。
【００５３】
第２の実施の形態では、第１の実施の形態と同様のキャリブレーション処理１を複数回行った後、蓄積された過去のデータに基づいてキャリブレーションを行う方法について説明する。記憶部１６には、過去に表示部１３に表示された医用画像のＲＯＩ位置が撮影部位及び撮影方向毎に保存されている。
【００５４】
図１１は、第２の実施の形態の医用画像表示装置により実行されるキャリブレーション処理２を説明するフローチャートである。
【００５５】
まず、画像サーバ等の外部機器に保存されている医用画像が通信部１４を介して取得される（ステップＳ３１）。取得された医用画像は、記憶部１６に記憶される。
【００５６】
次に、医用画像から、医用画像に付帯されている撮影部位情報及び撮影方向情報が取得される（ステップＳ３２）。
【００５７】
そして、取得された撮影部位情報及び撮影方向情報に基づいて、記憶部１６に保存されている医用画像のＲＯＩ位置のうち、表示対象となる医用画像と撮影部位及び撮影方向が同一の医用画像のＲＯＩ位置が取得される。取得されたＲＯＩ位置に基づいて、これらの平均位置が算出され、表示対象となる医用画像のＲＯＩ位置が決定される（ステップＳ３３）。
【００５８】
次に、表示部１３において、表示対象となる医用画像のＲＯＩ位置に各テストパターン［ｎ］が表示され、医用画像表示装置の表示階調特性調整処理が行われる（ステップＳ３４）。表示階調特性調整処理の詳細については、第１の実施の形態と同様であるので、説明を省略する。
以上で、キャリブレーション処理２が終了する。
【００５９】
以上のように、第２の実施の形態によれば、過去に表示部１３に表示された医用画像のＲＯＩ位置を撮影部位及び撮影方向毎に保存しておき、テストパターン［ｎ］を表示部１３に表示させる際に、保存されている医用画像のＲＯＩ位置のうち、表示対象となる医用画像と撮影部位及び撮影方向が同一の医用画像のＲＯＩ位置を取得し、取得されたＲＯＩ位置に基づいて表示対象となる医用画像のＲＯＩ位置を決定し、決定されたＲＯＩ位置にテストパターン［ｎ］を表示させるので、表示対象となる医用画像と撮影部位及び撮影方向が同一の医用画像のＲＯＩ位置の平均的な位置に合わせて表示階調特性を補正することができる。
【００６０】
なお、第２の実施の形態では、過去に表示部１３に表示された医用画像のＲＯＩ位置が撮影部位及び撮影方向毎に保存されていることとしたが、医用画像の分類方法はこれに限定されない。医用画像の分類方法に応じて、表示対象となる医用画像が属するグループの平均的な位置にテストパターン［ｎ］を表示すればよい。
【００６１】
［第３の実施の形態］
次に、本発明を適用した第３の実施の形態について説明する。
第３の実施の形態における医用画像表示装置は、第１の実施の形態に示した医用画像表示装置１０と同様の構成であるため、同一の構成部分については同一の符号を付し、その構成については説明を省略する。また、キャリブレーションに用いるテストパターンについても、第１の実施の形態と同様、図２に示したテストパターンを用いる。以下、第３の実施の形態に特徴的な処理について説明する。
【００６２】
第３の実施の形態では、医用画像が表示されている表示画面上でオペレータが指定する位置において、キャリブレーションが行われる。
【００６３】
図１２は、第３の実施の形態の医用画像表示装置により実行されるキャリブレーション処理３を説明するフローチャートである。
【００６４】
まず、画像サーバ等の外部機器に保存されている医用画像が通信部１４を介して取得される（ステップＳ４１）。取得された医用画像は、記憶部１６に記憶される。
【００６５】
次に、表示部１３に、医用画像が表示される（ステップＳ４２）。図１３に、医用画像表示画面１３１の例を示す。医用画像表示画面１３１には、医用画像の他、患者名、患者ＩＤ、撮影日等が表示されてもよい。
【００６６】
オペレータは、表示部１３に表示された医用画像表示画面１３１上で、操作部１２を介して操作を行い、表示されている医用画像のＲＯＩ位置２０（図１３参照）を指定する（ステップＳ４３）。例えば、操作部１２のマウス操作により、医用画像のＲＯＩ位置２０においてマウスを右クリックし、表示された選択ウインドウから「キャリブレーション」を選択する。
【００６７】
オペレータによりＲＯＩ位置２０が指定されると、図１４に示すように、表示部１３に表示階調特性調整画面１３２が表示される。表示階調特性調整画面１３２では、指定されたＲＯＩ位置２０に各テストパターン３０が表示され、医用画像表示装置の表示階調特性調整処理が行われる（ステップＳ４４）。表示階調特性調整処理の詳細については、第１の実施の形態と同様であるので、説明を省略する。
以上で、キャリブレーション処理３が終了する。
【００６８】
以上のように、第３の実施の形態によれば、表示部１３に表示対象となる医用画像を表示させた画面上で、表示されている医用画像のＲＯＩ位置を指定し、指定されたＲＯＩ位置にテストパターン［ｎ］を表示させるので、オペレータが指定する位置に合わせて表示階調特性を補正することができる。
【００６９】
［第４の実施の形態］
次に、本発明を適用した第４の実施の形態について説明する。
第４の実施の形態における医用画像表示装置は、第１の実施の形態に示した医用画像表示装置１０と同様の構成であるため、同一の構成部分については同一の符号を付し、その構成については説明を省略する。また、キャリブレーションに用いるテストパターンについても、第１の実施の形態と同様、図２に示したテストパターンを用いる。以下、第４の実施の形態に特徴的な処理について説明する。
【００７０】
まず、図１５に示すように、表示部１３に表示される表示階調特性調整画面１３３の各位置１〜６において、表示階調特性調整処理が行われる。表示階調特性調整処理の詳細については、第１の実施の形態と同様であるので、説明を省略する。ただし、図７に示す表示階調特性調整処理では、テストパターン［ｎ］が表示画面上のＲＯＩ位置に表示されることとしたが（ステップＳ１２参照）、ここでは、テストパターン［ｎ］は各位置１〜６に表示される。表示階調特性調整処理の結果は、記憶部１６に記憶される。図１６に、表示階調特性調整処理で取得されたＬＵＴ情報の例を示す。図１６に示すように、記憶部１６には、各位置１〜６を示すＸ座標、Ｙ座標、その位置で作成されたＬＵＴ１〜６が記憶される。
【００７１】
第４の実施の形態では、このように表示部１３の表示画面上の複数の位置において取得された補正データ（ＬＵＴ）に基づいて、表示部１３に表示すべき画像の階調変換処理を行う。
【００７２】
図１７は、第４の実施の形態の医用画像表示装置により実行される表示画像の階調変換処理を説明するフローチャートである。
【００７３】
まず、画像サーバ等の外部機器に保存されている医用画像が通信部１４を介して取得される（ステップＳ５１）。取得された医用画像は、記憶部１６に記憶される。
【００７４】
次に、医用画像から、医用画像に付帯されている撮影部位情報及び撮影方向情報が取得される（ステップＳ５２）。
【００７５】
そして、取得された撮影部位情報及び撮影方向情報に基づいて、医用画像がプロファイル解析され、ＲＯＩ位置が決定される（ステップＳ５３）。
【００７６】
次に、ＲＯＩ位置近傍において取得されたＬＵＴが記憶部１６から読み出され、これらに基づいてＲＯＩ位置におけるＬＵＴが作成され（ステップＳ５４）、作成されたＬＵＴを用いて、表示部１３に表示すべき医用画像の階調変換処理が行われる（ステップＳ５５）。ここで、ＲＯＩ位置近傍において取得されたＬＵＴとは、予め表示階調特性調整処理が行われた各位置１〜６において取得されたＬＵＴ１〜６のうち、ＲＯＩ位置からの距離が小さい位置において取得されたＬＵＴをいう。
【００７７】
図１８に、医用画像表示画面１３４の例を示す。医用画像が医用画像表示画面１３４において図１８に示す位置に配置される場合、ＲＯＩ位置４０の近傍、すなわち、図１５に示す位置２、位置３、位置５、位置６における表示階調特性調整処理でそれぞれ取得されたＬＵＴ２、ＬＵＴ３、ＬＵＴ５、ＬＵＴ６に基づいて、新たなＬＵＴを作成し、表示すべき医用画像の階調変換処理を行う。
【００７８】
図１９を参照して、予めＬＵＴが求められている４点に囲まれたＲＯＩ位置におけるＬＵＴの作成方法について説明する。ＲＯＩの中心点Ｐ（ｘ，ｙ）の近傍の点をＰ１（ｘ１，ｙ１）、Ｐ２（ｘ２，ｙ２）、Ｐ３（ｘ３，ｙ３）、Ｐ４（ｘ４，ｙ４）とし、各点Ｐ１，Ｐ２，Ｐ３，Ｐ４における表示階調特性調整処理によって作成されたＬＵＴをそれぞれＬＵＴ_Ｐ１［ｉ］，ＬＵＴ_Ｐ２［ｉ］，ＬＵＴ_Ｐ３［ｉ］，ＬＵＴ_Ｐ４［ｉ］とする。ここで、ｉは８bitの場合、０〜２５５となる。
【００７９】
図１９に示すように、各点Ｐ１，Ｐ２，Ｐ３，Ｐ４から、ＲＯＩの中心点Ｐを通るＸ軸に平行な直線に下ろした垂線の長さをそれぞれａ１，ａ２，ａ３，ａ４とする（式７〜１０参照）。
【数５】
2006043265.tif 000007
【００８０】
また、ＲＯＩの中心点Ｐを通るＸ軸に平行な直線と、点Ｐ１，Ｐ２，Ｐ３，Ｐ４からなる四角形との交点をＰ５（ｘ５，ｙ５）、Ｐ６（ｘ６，ｙ６）とし（式１１，１２参照）、点Ｐ５，Ｐ６からＲＯＩの中心点Ｐまでの距離をそれぞれａ５，ａ６とする（式１３，１４参照）。
【数６】
2006043265.tif 000008
【数７】
2006043265.tif 000009
【００８１】
点Ｐ５，Ｐ６におけるＬＵＴをそれぞれＬＵＴ_Ｐ５［ｉ］，ＬＵＴ_Ｐ６［ｉ］とすると、ＬＵＴ_Ｐ５［ｉ］，ＬＵＴ_Ｐ６［ｉ］は、下記式１５，１６により求められる。
【数８】
2006043265.tif 000010
【００８２】
同様に、点ＰにおけるＬＵＴ_Ｐ［ｉ］は、下記式１７により求められる。
【数９】
2006043265.tif 000011
【００８３】
以上で、表示画像の階調変換処理が終了する。ステップＳ５１で取得された医用画像は、作成されたＬＵＴを用いて表示部１３に表示される。
【００８４】
以上のように、第４の実施の形態によれば、表示部１３の表示画面上の複数の位置で、それぞれ、表示階調特性調整処理を行って医用画像表示装置の表示階調特性を補正する補正データを取得しておき、表示対象となる医用画像を表示部１３に表示させる際に、表示対象となる医用画像のＲＯＩ位置近傍において取得された補正データに基づいて、医用画像表示装置の表示階調特性を補正するので、医用画像を観察する際に最も重要なＲＯＩ位置に合わせて表示階調特性を補正することができる。したがって、医用画像表示装置の表示階調特性を効率良く補正することができる。
【００８５】
なお、第４の実施の形態では、医用画像のＲＯＩ位置近傍の複数の位置において作成された複数のＬＵＴに基づいて、ＲＯＩ位置に適したＬＵＴを作成することとしたが、ＲＯＩ位置に最も近い位置で作成されたＬＵＴを適用することとしてもよい。
【００８６】
上記各実施の形態における記述は、本発明に係る好適なキャリブレーション方法の例であり、これに限定されるものではない。医用画像表示装置を構成する各部の細部構成及び細部動作に関しても本発明の趣旨を逸脱することのない範囲で適宜変更可能である。
【００８７】
また、上記各実施の形態では、テストパターン［ｎ］のうち最も輝度が高いテストパターン［Ｎ］の基準領域の駆動レベルＤＤＬＫ［Ｎ］、及び調整領域の駆動レベルＤＤＬＴ［Ｎ］を式３、式４で示す値に設定することとしたが、調整領域の駆動レベルＤＤＬＴ［Ｎ］を最大駆動レベルＤＤＬmaxから次第に下げていき、調整領域と基準領域の輝度レベル差が目視により視認できる最小の輝度レベル差となるよう調整した場合、最大駆動レベルＤＤＬmax付近のデータが得られないおそれがある。そこで、最も輝度が高いテストパターン［Ｎ］に関してのみ、基準領域の駆動レベルＤＤＬＫ［Ｎ］の方を変化させ、基準領域の輝度レベルを調整領域の輝度レベルに近付けるように調整し、視認可能な最小の輝度レベル差に対応する駆動レベル差を求めることとしてもよい。
【００８８】
また、逆に、基準領域の駆動レベルＤＤＬＫ［Ｎ］を最大駆動レベルＤＤＬmaxに設定し、調整領域の駆動レベルＤＤＬＴ［Ｎ］を最大駆動レベルＤＤＬmaxより所定レベル低い駆動レベルに設定し、調整領域の輝度レベルを低い方から基準領域の輝度レベルに近付けるように調整し、視認可能な最小の輝度レベル差に対応する駆動レベル差を求めることとしてもよい。
【図面の簡単な説明】
【００８９】
【図１】第１の実施の形態における医用画像表示装置１０の内部構成を示すブロック図である。
【図２】表示階調特性調整処理時に表示されるテストパターン［ｎ］を示す図である。
【図３】テストパターン［ｎ］を形成する２つの表示領域について説明する図である。
【図４】ラインペアにより形成されるテストパターン［ｎ］を示す図である。
【図５】テストパターン［ｎ］を形成するラインペア画像について説明する図である。
【図６】医用画像表示装置１０により実行されるキャリブレーション処理１を説明するフローチャートである。
【図７】表示階調特性調整処理を説明するフローチャートである。
【図８】関数ｇ（ＤＤＬ）を示すグラフである。
【図９】関数ｈ（ＤＤＬ）を示すグラフである。
【図１０】医用画像表示装置１０の表示階調特性を補正する補正曲線を示すグラフである。
【図１１】第２の実施の形態の医用画像表示装置により実行されるキャリブレーション処理２を説明するフローチャートである。
【図１２】第３の実施の形態の医用画像表示装置により実行されるキャリブレーション処理３を説明するフローチャートである。
【図１３】医用画像表示画面１３１の表示例である。
【図１４】表示階調特性調整画面１３２の表示例である。
【図１５】表示階調特性調整画面１３３において表示階調特性調整処理が行われる各位置１〜６を示すための図である。
【図１６】表示階調特性調整処理で取得されたＬＵＴ情報の例を示す図である。
【図１７】第４の実施の形態の医用画像表示装置により実行される表示画像の階調変換処理を説明するフローチャートである。
【図１８】医用画像表示画面１３４の表示例である。
【図１９】予めＬＵＴが求められている４点に囲まれたＲＯＩ位置におけるＬＵＴの作成方法を説明するための図である。
【符号の説明】
【００９０】
１０  医用画像表示装置
１１  制御部
１２  操作部
１３  表示部
１３１  医用画像表示画面
１３２  表示階調特性調整画面
１３３  表示階調特性調整画面
１３４  医用画像表示画面
１４  通信部
１５  ＲＡＭ
１６  記憶部
【図１】
2006043265.tif 000012
【図６】
2006043265.tif 000013
【図７】
2006043265.tif 000014
【図８】
2006043265.tif 000015
【図９】
2006043265.tif 000016
【図１０】
2006043265.tif 000017
【図１１】
2006043265.tif 000018
【図１２】
2006043265.tif 000019
【図１３】
2006043265.tif 000020
【図１６】
2006043265.tif 000021
【図１７】
2006043265.tif 000022
【図１８】
2006043265.tif 000023
【図１９】
2006043265.tif 000024
【図２】
2006043265.tif 000025
【図３】
2006043265.tif 000026
【図４】
2006043265.tif 000027
【図５】
2006043265.tif 000028
【図１４】
2006043265.tif 000029
【図１５】
2006043265.tif 000030